(57)【要約】      （修正有）【課題】電動送風機の回転振動及び騒音を低減できる電気掃除機を提供する。【解決手段】ファン48と電動機部32を備えた電動送風機31を、掃除機本体2内に第１、第２の支持手段11,21で支持する。ファン48は電動機部32が有した回転子39の最大径より大径で、このファン48を回転子軸40の一端部に取付ける。第１の支持手段11は、軸受ハウジング部34を掃除機本体2に支持する。第２の支持手段21は、電動機部32とファン48とを仕切るように設けられて軸受ハウジング部35を掃除機本体2に支持する。第２の支持手段21は、ファン48より大径であるカバー取付け部27及び電動機部32を冷却する空気が通る通気部28を有する。ファン48を覆って第２の支持手段21との間にファン48を収容するファンカバー51をカバー取付け部27に支持する。ファンカバー51の外周と掃除機本体2の内面との間に空隙Ｇを設ける。【選択図】図１
2010213789.tif 000002
【特許請求の範囲】
【請求項１】
軸受が取付けられた第１、第２の軸受ハウジング部と一対の前記軸受に回転自在に支持された回転子を有した電動機部、及び前記回転子の最大径より大径に形成され前記回転子が有した回転子軸の一端部に取付けられたファンを備え、このファンから送出された空気で前記電動機部を冷却する電動送風機と、この電動送風機に吸い込まれる空気が流通する集塵体配置室を有しこの集塵体配置室の下流側に前記電動送風機が内蔵された掃除機本体と、を具備する電気掃除機において、
前記両軸受ハウジング部の内で前記ファンから遠い方の第１の軸受ハウジング部を前記掃除機本体に支持した第１の支持手段と、前記電動機部と前記ファンとを仕切るように設けられて前記両軸受ハウジング部の内で前記ファンに近い方の第２の軸受ハウジング部を前記掃除機本体に支持した第２の支持手段を備え、
前記第２の支持手段が、前記ファンより大径であるカバー取付け部及び前記電動機部を冷却する空気が通る通気部を有し、前記カバー取付け部に前記ファンを覆って前記第２の支持手段との間に前記ファンを収容するファンカバーを支持し、このファンカバーの外周と前記掃除機本体の内面との間に空隙を設けたことを特徴とする電気掃除機。
【請求項２】
前記第２の支持手段が、前記掃除機本体の内面に一体に形成されたベース部と、このベース部及び前記第２の軸受ハウジング部間に配設された弾性体とを備えていることを特徴とする請求項１に記載の電気掃除機。
【請求項３】
前記電動機部が前記第２の支持手段に対向する壁部に通気入口を有し、前記壁部に対向する前記第２の支持手段の部位に前記通気部が設けられているとともに、前記通気部を通った空気を前記通気入口に導くガイドが前記壁部と前記部位との間に設けられていることを特徴とする請求項１又は２に記載の電気掃除機。
【発明の詳細な説明】
【技術分野】
【０００１】
本発明は低騒音化を図った電気掃除機に関する。
【背景技術】
【０００２】
回転子の最大径よりも大径なインペラを有した電動送風機の前後両端部に夫々サポートゴムを取付け、これらサポートゴムを介する形で、掃除機本体が有した電動送風機室に電装送風機を固定した電気掃除機が、従来技術として知られている（例えば、特許文献１参照。）。
【０００３】
この従来の電気掃除機において、前側のサポートゴムは、前側の軸受よりも前方に位置されているインペラを内包したケーシングの外周に被嵌されている。後側のサポートゴムは、電動送風機の電動機ケースの後面中央部から後向きに突出された後側軸受ハウジング部の外周に被嵌され、この後側軸受ハウジング部内に後側の軸受が支持されている。したがって、従来の電気掃除機は、ロータ及びインペラを有した回転体が電動送風機の運転に伴い回転されることに伴い、この回転体の回転アンバランスを原因として発生する振動(この振動を以下、回転振動を称する。)を、前後のサポートゴムにより減衰できる。
【先行技術文献】
【特許文献】
【０００４】
【特許文献１】特開２００７−１８５４１３号公報（段落００２１−００２２、図１−図２）
【発明の概要】
【発明が解決しようとする課題】
【０００５】
本発明者は、回転振動について鋭意研究した結果、インペラがローラの最大径より大きい構成での回転振動はインペラの回転アンバランスが支配的であるため、後側軸受ハウジング部を支点として回転体が振れ回ることを見出した。
【０００６】
こうした現象により、電動送風機全体が回転体と同様に振れ回るので、従来技術の電気掃除機では、後側軸受ハウジング部から最も離れて配置されているインペラより更に大径なケーシングの回転振動が大きい。この回転振動によって、従来の電気掃除機は耳障りな高音を発生し易い。ちなみに、本発明者が行った運転音(騒音)と周波数(回転数)との関係についての試験結果では、図３に示すように５００Ｈｚの周波数で騒音のピーク値が高く発生する現象が認められた。
【０００７】
以上のように従来の電気掃除機は、電動送風機の回転振動、及びそれに伴う騒音が大きい、という課題がある。
【課題を解決するための手段】
【０００８】
前記の課題を解決するために、本発明は、回転子を有した電動機部及び回転子の最大径より大径で回転子軸の一端部に取付けられたファンを備えて、このファンにより電動機部が空冷される電動送風機を、掃除機本体内に支持する第１、第２の支持手段を備え、第１の支持手段でファンから遠い方に位置された電動機部の軸受ハウジング部を掃除機本体に支持するとともに、電動機部を冷却する空気が通る通気部を有した第２の支持手段を電動機部とファンとを仕切るように設けて、この第２の支持手段でファンに近い方に位置された軸受ハウジング部を掃除機本体に支持し、かつ、ファンより大径であるカバー取付け部を第２の支持手段に設け、このカバー取付け部に、ファンを覆って第２の支持手段との間にファンを収容するファンカバーを支持し、このファンカバーの外周と掃除機本体の内面との間に空隙を設けたことを特徴としている。本発明で、電動機部には、整流子モータ又はインバータモータ等を用いることができる。
【０００９】
本発明では、前記第２の支持手段が、前記掃除機本体の内面に一体に形成されたベース部と、このベース部及び前記第２の軸受ハウジング部間に配設された弾性体とを備えていることが、好ましい。この場合、弾性体には、ゴム又はコイルばね等を用いることができる。
【００１０】
本発明では、前記電動機部が前記第２の支持手段に対向する壁部に通気入口を有し、前記壁部に対向する前記第２の支持手段の部位に前記通気部が設けられているとともに、前記通気部を通った空気を前記通気入口に導くガイドが前記壁部と前記部位との間に設けられていることが、好ましい。この場合、ガイドは、前記部位から前記壁部に向けて突設されていてもよく、又は、この逆に前記壁部から前記部位に向けて突設されていてもよい。或いは、前記壁部と前記部位で挟まれたリングからなるガイドを用いて、前記壁部と前記部位の間から通気入口を通らずに電動機部外に空気が漏れることを防止することで、通気部を通った空気を通気入口に導くようにしても差し支えない。
【発明の効果】
【００１１】
本発明によれば、電動機部のファンに近い方に位置された軸受ハウジング部を掃除機本体に支持するとともに、ファンカバーの外周が掃除機本体に支持されないようにしたので、電動機部のファンから遠い方に位置された軸受ハウジング部を支点とする電動送風機の回転振動を抑制でき、それに伴い低騒音で運転できる、という効果がある。
【図面の簡単な説明】
【００１２】
【図１】本発明の第１の実施形態に係る電気掃除機の一部を示す概略断面図である。
【図２】ファン及びファンカバーを省略した状態で図１中矢印Ｆ２−Ｆ２線に沿って示す断面図である。
【図３】図１の電気掃除機及び従来の電気掃除機での周波数と運転音との関係を対比して示すグラフ。
【図４】本発明の第２の実施形態に係る電気掃除機の一部を示す概略断面図である。
【図５】本発明の第３の実施形態に係る電気掃除機の一部を示す概略断面図である。
【図６】ファン及びファンカバーを省略した状態で図５中矢印Ｆ６−Ｆ６線に沿って示す断面図である。
【図７】本発明の第４の実施形態に係る電気掃除機の一部を示す概略断面図である。
【図８】ファン及びファンカバーを省略した状態で図７中矢印Ｆ８−Ｆ８線に沿って示す断面図である。
【発明を実施するための形態】
【００１３】
以下、図１〜図３を参照して本発明の第１の実施の形態について、詳細に説明する。
【００１４】
図１中符号１は電気掃除機を示している。この電気掃除機１が備えた掃除機本体２は、一対の本体ケース例えば上部本体ケース３と下部本体ケース４を有している。上部本体ケース３と下部本体ケース４は上下方向に組み合わされて図示しないねじで連結されている。
【００１５】
掃除機本体２内の前後方向中間部に仕切り５が設けられ、かつ、掃除機本体２内の後端部に第１の支持手段１１が設けられている。掃除機本体２は、集塵体配置室２ａ、電動送風機室２ｂ、及び排気室２ｃを有している。
【００１６】
集塵体配置室２ａは仕切り５の前側に形成されている。この集塵体配置室２ａに連通して掃除機本体２の前端部に吸塵口（図示しない）が設けられている。吸塵口には図示しない吸塵ホースが接続され、吸塵ホースには延長管を介して床用の吸込み口体が接続されており、これらの吸塵用部品を通って吸塵口に含塵空気が吸い込まれる。集塵体配置室２ａにはその上方から集塵体６が着脱可能に収容される。集塵体６は、集塵袋であっても、サイクロン式の塵分離を行ってそれにより分離された塵を溜める集塵ユニットであってもよい。
【００１７】
電動送風機室２ｂは、集塵体配置室２ａに対して下流側の部屋であり、仕切り５の後側でかつこの仕切り５と後述する第１の支持手段１１との間に形成されている。この電動送風機室２ｂは、仕切り５の略全域に形成された複数の通気孔５ａにより集塵体配置室２ａに連通されている。
【００１８】
排気室２ｃは、電動送風機室２ｂに対して下流側の部屋であり、電動送風機室２ｂと掃除機本体２の本体後壁２ｄとの間に形成されている。この排気室２ｃは、第１の支持手段１１に設けられた気流通孔７により電動送風機室２ｂに連通されている。気流通孔７は例えば第１の支持手段１１の下部、具体的には後述する下部支持壁１３に開けられている。排気室２ｃは排気孔８により掃除機本体２の外部に連通されている。排気孔８は例えば本体後壁２ｄの上部に複数設けられている。
【００１９】
第１の支持手段１１は、例えば上部本体ケース３の内面に一体に突設された一方の支持壁をなす上部支持壁１２と、これに対応して下部本体ケース４の内面に一体に突設された他方の支持壁をなす下部支持壁１３とからなる。上部支持壁１２と下部支持壁１３の先端は上下方向に突き合わされている。それにより、第１の支持手段１１が電動送風機室２ｂと排気室２ｃを仕切っている。上部支持壁１２と下部支持壁１３の夫々は半円形の挟持縁部１２ａ，１３ａを有している。これら挟持縁部１２ａは、第１の支持手段１１を前方又は後方から見た状態で円形に連続している。なお、第１の支持手段１１は、半円形の挟持縁部１３ａを有した支持壁と、上部支持壁に代えて用いられる挟持部材、つまり、半円形の挟持部を有して挟持縁部１３ａにねじ止めされる挟持部材とで形成することもできる。
【００２０】
電動送風機室２ｂに第２の支持手段２１が設けられている。第２の支持手段２１は、一対例えば上下一対のベース部２２，２３と、弾性体例えばゴム製の防振リング２４と、支持部材２５を備えている。
【００２１】
詳しくは、図１及び図２に示すように上側ベース部２２は上部本体ケース３の内面に一体に突設され、下側ベース部２３は下部本体ケース４の内面に一体に突設されている。これらベース部２２，２３は、第２の支持手段２１を前方又は後方から見た状態で円形に連続する半円形の溝（図示しない）を有していて、この溝に連続する先端が上下方向に突き合わされている。それにより、第２の支持手段２１は電動送風機室２ｂを電動部室２ｅとファン室２ｆとに仕切っている。
【００２２】
防振リング２４は、その外周に開放された外周溝２４ａ及び内周に開放された内周溝２４ｂを有している。ベース部２２，２３の半円形の溝により形成された円形の孔の縁に外周溝２４ａを嵌合させることにより、防振リング２４がベース部２２，２３間に取付けられている。
【００２３】
第２の支持手段２１を前方又は後方から見た状態で支持部材２５は円形である。支持部材２５は、その外周部を防振リング２４の内周溝２４ｂに嵌合することで、防振リング２４内に取付けられている。言い換えれば、弾性を有した防振リング２４は上下のベース部２２，２３と支持部材２５との間に挟設されており、したがって、防振リング２４を介して上下のベース部２２，２３間に支持部材２５が取付けられている。
【００２４】
支持部材２５は、嵌合部２６、カバー取付け部２７、及び通気部２８を有している。
【００２５】
嵌合部２６は支持部材２５の中央部に形成されている。この嵌合部２６は円筒形状であるが、円形の孔であってもよい。カバー取付け部２７は、支持部材２５の外周に寄せて設けられていて、図２に示すように円形をなしているとともに、例えば図１に示すように仕切り５に向けて突出されている。この円形のカバー取付け部２７は後述するファン４８より大径である。通気部２８は、嵌合部２６とカバー取付け部２７との間の部位２５ａに開口された通孔からなり、図２に示すように複数設けられている。
【００２６】
図１に示すように電動送風機３１が、第１の支持手段１１と第２の支持手段２１に支持されて掃除機本体２の電動送風機室２ｂに内蔵されている。この電動送風機３１は、例えば整流子電動機からなる電動機部３２と、例えば遠心型のファン４８と、ファンカバー５１を備えている。
【００２７】
電動機部３２は、電動機ケース３３と、固定子３６と、一対の軸受３７，３８と、回転子３９と、整流子４１と、一対のブラシ装置４２等を有している。
【００２８】
電動機ケース３３は、第１の軸受ハウジング部３４又は第２の軸受ハウジング部３５を有した一対のケース部材を組み合わせて形成されている。電動機ケース３３は一対の壁部３３ａ，３３ｂを有している。一方の壁部３３ａの中央部に電動機ケース３３外に突出して第１の軸受ハウジング部３４が形成され、同様に他方の壁部３３ｂの中央部に電動機ケース３３外に突出して第２の軸受ハウジング部３５が形成されている。これら第１の軸受ハウジング部３４と第２の軸受ハウジング部３５の突出方向は逆向きである。
【００２９】
この電動機ケース３３の内周面に固定して固定子３６が固定されている。一対の軸受ハウジング部３４，３５内には、夫々玉軸受等の軸受３７又は３８が支持されている。
【００３０】
回転子３９はその中心部に回転子軸４０を有している。この回転子軸４０は軸受３７，３８に回転自在に支持されており、それにより、回転子３９が固定子３６の内側に配設されている。回転子軸４０の一端部は軸受３８を貫通して電動機ケース３３外に突出されている。
【００３１】
整流子４１は軸受３７側に寄せて回転子軸４０に固定されている。一対のブラシ装置４２は電動機ケース３３に取付けられていて、それらが有したカーボンブラシ４２ａは整流子４１の外周に図示しないばねによって押付けられている。
【００３２】
電動機ケース３３は、この内部にファンから送出された風を流通させるための通気入口４３と通気出口４４を有している。即ち、通気入口４３は、第２の軸受ハウジング部３５が突出された壁部３３ｂに複数開口されており、通気出口４４は第１の軸受ハウジング部３４が突出された壁部３３ａに複数開口されている。なお、通気出口４４は、電動機ケース３３の周壁の内で壁部３３ａに寄せて設けることもでき、これら周壁と壁部３３ａの双方に設けても良い。
【００３３】
電動機ケース３３外に突出された回転子軸４０の一端部に、ファン受け板４６が回転子軸４０の軸方向に移動不能に固定されているとともに、この回転子軸４０の一端部に螺合されたナット４７によりファン４８が取付けられている。ファン受け板４６は第２の軸受ハウジング部３５より小径である。ファン４８のベースプレート４８ａはファン受け板４６とナット４７とで挟まれている。このファン４８の直径は前記カバー取付け部２７より小径である。
【００３４】
ファン４８を覆うファンカバー５１は、カバー取付け部２７の外周に支持されているとともに、第２の支持手段２１との間にファン４８を収容する大きさに作られている。
【００３５】
前記構成の電動送風機３１は第１の支持手段１１と第２の支持手段２１を介して以下のように掃除機本体２内に支持されている。
【００３６】
一対の軸受ハウジング部３４，３５の内でファン４８から遠い方の第１の軸受ハウジング部３４には、その外周及び端面を覆うキャップ状のサポートゴムをなす防振ゴム５２が被嵌されている。この防振ゴム５２を介在させて第１の軸受ハウジング部３４を、上部支持壁１２の挟持縁部１２ａと下部支持壁１３の挟持縁部１３ａとで上下に挟持することにより、電動送風機３１の後端部が第１の支持手段１１に防振的に支持されている。
【００３７】
一対の軸受ハウジング部３４，３５の内でファン４８に近い方の第２の軸受ハウジング部３５は、支持部材２５の嵌合部２６の内側に嵌合されることによって、第２の支持手段２１で支持されている。そのため、第２の支持手段２１は、電動機部３２とファン４８とを仕切るように設けられている。
【００３８】
こうして電動機部３２は、第１の支持手段１１と第２の支持手段２１により両端支持されて、掃除機本体２の電動部室２ｅに収容されている。収容された電動機部３２の壁部３３ｂと支持部材２５の通気部２８が形成された部位２５ａは、第２の軸受けハウジング部３５の出幅より短い距離を隔てて対向されていて、壁部３３ｂの通気入口４３と支持部材２５の通気部２８とは対向しかつ連通した状態にある。
【００３９】
壁部３３ｂと部位２５ａとの間にガイドを兼ねる封止リング５４（図１参照）が設けられている。封止リング５４は、可撓性を有する材料例えばゴムで第２の軸受ハウジング部３５より大径に形成されていて、壁部３３ｂに接着止めされているとともに、壁部３３ｂと部位２５ａとで挟まれてこれらの間に形成される隙間を閉じている。封止リング５４の内径は、その内側に通気部２８及び通気入口４３が恰も位置されるような大きさである。この封止リング５４の内周面５４ａは、より好ましい例として通気部２８を通った空気を円滑に通気入口４３に導くためにテーパ状をなしている。なお、封止リング５４は、支持部材２５に接着止めしても差し支えないとともに、内周面５４ａは封止リング５４の外周面と平行でもよい。
【００４０】
回転子軸４０に取付けられたファン４８は掃除機本体２内のファン室２ｆに収容されている。この収容状態でファン４８の吐出し口が形成された外周は、支持部材２５のカバー取付け部２７の内周面と対向し、この内周面で囲まれている。なお、カバー取付け部２７の内周面にファン４８の吐出し口を対向させることは、この吐出し口から通気部２８への空気の流れの抵抗が少なく流れが円滑である点で好ましいが、以下のようにすることもできる。即ち、カバー取付け部２７の先端位置を、ファン４８のベースプレート４８ａよりも電動機部３２側に寄せるとともに、このカバー取付け部２７の外周に嵌合して支持される後述のファンカバー５１の内周面とファン４８の吐出し口とを対向させてもよい。
【００４１】
カバー取付け部２７にはファン４８を覆うファンカバー５１が嵌合されている。この嵌合部での気密を確保するために、カバー取付け部２７の外周とファンカバー５１の内周との間にリング形のシール５６（図１参照）が挟み込まれている。このシール５６はゴム製であり、カバー取付け部２７の外周又はファンカバー５１の内周のいずれかに固定されている。なお、シール５６を省略して、カバー取付け部２７の外周にファンカバー５１の内周を密に嵌合させてもよい。
【００４２】
ファンカバー５１の中央部内面でかつファンカバー５１が有した吸気口５１ａの近傍には、リング形のシール部材５８（図１参照）が取付けられている。このシール部材５８にはファン４８の吸込み口の縁部が接触されており、それによって、ファン４８の外周から吐出される空気が前記吸込み口に吸込まれないようにしている。ファンカバー５１の吸気口５１ａは前記仕切り５に向いている。
【００４３】
このファンカバー５１の外周は、掃除機本体２の内面、より具体的には電動送風機３１が設置された電動送風機室２ｂの内周とは非接触であり、この内周とファンカバー５１の外周との間に空隙Ｇ（図１参照）が設けられている。
【００４４】
電気掃除機１の組立ては以下の手順で実施される。
【００４５】
まず、電動機部３２に支持部材２５を取付ける。この取付けは、予め封止リング５４が接着された電動機ケース３３の第２の軸受ハウジング部３５の外周に、支持部材２５の嵌合部２６を嵌合させるとともに、支持部材２５の部位２５ａを封止リング５４に接触させることで行う。それにより、回転子軸４０の一端部及びファン受け板４６がカバー取付け部２７の内側中央部に配置される。
【００４６】
次に、ファン部の組付けを行う。つまり、第１段階として、カバー取付け部２７の内側にファン４８を収容するとともに、このファン４８を、カバー取付け部２７内に突出された回転子軸４０の一端部にナット４７を用いて固定する。第２段階として、予めシール部材５８が装着されたファンカバー５１をカバー取付け部２７に被嵌する。この場合、ファンカバー５１とカバー取付け部２７との間にはシール５６が挟まれる。又、シール部材５８はファン４８の吸込み口５１ａの縁部に接触する。
【００４７】
更に、支持部材２５の外周に防振リング２４を嵌合して取付けるとともに、第１の軸受ハウジング部３４に防振ゴム５２を被嵌する。それにより、送風機ユニットを組立てる。なお、防振リング２４は、既述のように支持部材２５を電動機部３２に取付ける際に、支持部材２５に取付けても、或いは、それ以前に予め支持部材２５に取付けてあってもよい。同様に、防振ゴム５２も、既述のように支持部材２５を電動機部３２に取付ける際に、第１の軸受ハウジング部３４に取付けても、或いは、それ以前に予め第１の軸受ハウジング部３４に取付けてあってもよい。
【００４８】
この後、下部本体ケース４に対してその上方から前記送風機ユニットを組み込む。この組込みは、防振リング２４の下部を下部本体ケース４のベース部２３が有した半円状の溝に嵌合して、前記送風機ユニットの前部をベース部２３に支持させるとともに、防振ゴム５２が装着された第１の軸受ハウジング部３４の下部を、下部本体ケース４の下部支持壁１３が有した半円形の溝状をなす挟持縁部１３ａに嵌合して、前記送風機ユニットの後端部を下部支持壁１３に支持させる。
【００４９】
最後に、下部本体ケース４上に上部本体ケース３を被せる。この際、上部本体ケース３のベース部２２が有した半円形の溝状をなす挟持縁部１２ａを、防振リング２４の上部に嵌合させて、前記送風機ユニットの前部をベース部２２，２３で挟持して支持する。これとともに、上部本体ケース３の上部支持壁１２が有した半円形の溝を、防振ゴム５２が装着された第１の軸受ハウジング部３４の上部に嵌合させて、前記送風機ユニットの後端部を上下の支持壁１２，１３で挟持して支持する。そして、この状態を保持するために、上部本体ケース３と下部本体ケース４をねじ止めして掃除機本体２を組立てる。
【００５０】
前記構成を備えた電気掃除機１はその電動送風機３１への通電により運転される。この運転によるファン４８の回転に伴い、掃除機本体２内に吸引された空気と塵とが集塵体６で分離されて、塵が集塵体６内に溜められる。
【００５１】
これとともに、集塵体６を通った空気は、仕切り５の通気孔５ａから電動送風機室２ｂのファン室２ｆに流入してファン４８に吸込まれた後に、このファン４８の外周から吐出され、支持部材２５でファン４８の裏側に導かれた上で通気部２８から流出し、電動機部３２内にその通気入口４３を通って流入する。更に、この空気は、電動機部３２内を流通して、固定子３６、回転子３９、及び整流子４１等を冷却してから、電動機部３２の通気出口４４を通って電動送風機室２ｂの電動部室２ｅに流出する。この後、空気は、気流通孔７を通って排気室２ｃに流入した後に、排気孔８を通って掃除機本体２の外部に放出される。
【００５２】
こうした排気の流れによって電動送風機３１が空冷されるので、集塵体６の塵が溜まることに伴い電動送風機３１への入力が増えて、その固定子３６などの発熱量が増加する状態となっても、前記空冷作用によって電動送風機３１の温度過昇を抑制できる。
【００５３】
以上の電動送風機３１の空冷において、ファン４８から吐き出された空気が、ファン４８の吸込み口に還流して吸い込まれることはシール部材５８により防止され、かつ、ファンカバー５１と支持部材２５のカバー取付け部２７との間からファン室２ｆに空気が漏れることは、シール５６により防止される。更に、支持部材２５の通気部２８から電動機部３２の通気入口４３との間の隙間から電動部室２ｅに空気が漏れることは、封止リング５４により防止される。しかも、この封止リング５４の内周面５４ａにより通気部２８から通気入口４３に空気を円滑に導くことができる。したがって、ファン４８から吐出された空気の全量を円滑に電動機ケース３３内に導いて、固定子３６等を空冷できる。
【００５４】
こうした運転時、電動送風機３１は、その回転子３９、整流子４１、及びファン４８等を含んだ回転体の回転アンバランス、特にファン４８の回転アンバランスに基づいて、第１の支持手段１１に防振的に支持されている第１の軸受ハウジング部３４を支点として、ファン側が大きく振れ回ろうとする。
【００５５】
しかし、電動送風機３１は、ファン４８よりも第１の支持手段１１に近い位置に配設された第２の支持手段２１で支持されている。具体的には、ファンカバー５１より遥かに小径な電動機ケース３３の第２の軸受ハウジング部３５が、電動機ケース３３のファン側の壁部３３ｂとファン４８との間に配設された第２の支持手段２１で支持されている。
【００５６】
これにより、ファン４８の回転アンバランスを主原因とするファン側の振れ回りが抑制されて、運転音を低減できる。ちなみに、電気掃除機の運転音と周波数(回転数)との関係を示した図３中実線は第１実施形態に係る電気掃除機１の特性であり、二点鎖線は従来技術に係る電気掃除機の特性である。これらの比較から明らかなように、運転音のピーク値が下がるとともに運転音全体も低減できることが確かめられた。なお、集塵体６に塵が溜まっていない状態で、電動送風機３１の回転子３９が毎分３万回転であるときの周波数は５００Ｈｚであり、このときに運転音のピークを生じ、このピーク値が高いほど耳障りとなる。
【００５７】
以上のように電動送風機３１のファン側の振れ回りは低減されるが、この振れ回りに伴い第２の支持手段２１の支持部材２５は振動される。しかし、支持部材２５とこれを支持している掃除機本体２のベース部２２，２３との間に介在された防振リング２４はゴム等の弾性体からなるので、支持部材２５の振動は、防振リング２４での弾性変形により減衰される。そのため、ベース部２２，２３を介して掃除機本体２に波及する振動を抑制できる。
【００５８】
更に、ファン４８より大径のファンカバー５１の外周と掃除機本体２の内面との間には空隙Ｇが形成されていて、ファンカバー５１と掃除機本体２の内面とは非接触である。このため、支持部材２５とともにファンカバー５１が回転振動をするにも拘らず、このファンカバー５１の回転振動が掃除機本体２に伝えられることはない。
【００５９】
以上のように第１実施形態の電気掃除機１は、その電動送風機３１の回転振動及び騒音を低減できるので、特に夜間など静かな環境で使用する上で好適である。
【００６０】
図４は本発明の第２の実施の形態を示している。この第２実施形態は以下説明するように封止リングとガイドを分けて別々に設けたという事項以外は、図示されていない構成を含めて第１実施形態と同じである。そのため、第１実施形態と同じ構成については、第１実施形態と同じ符号を付して、その説明を省略する。
【００６１】
第２実施形態では、封止リング５４は、電動機ケース３３の壁部３３ｂと支持部材２５の部位２５ａとの間に挟持されていて、その内周面と外周面とは平行である。ガイド６１は封止リングの内側において例えば合成樹脂製の支持部材２５に一体に突設されている。ガイド６１は、通気部２８を通った空気を通気入口４３に導けるように通気部２８から通気入口４３に向けて斜めに設けられている。この場合、ガイド６１は通気部２８毎に設けてもよく、或いは図４に示すように壁部３３ｂに近づくに従い次第に縮径する円環形状に設けてもよい。なお、後者の場合、封止リング５４を省略することも可能である。又、図４の例とは逆に、ガイド６１を電動機ケース３３の壁部３３ｂから一体に突設して、このガイド６１を、ラッパ状,即ち、支持部材２５に近づく従い拡径する円環形状をなして設けてもよい。
【００６２】
以上説明した事項以外は第１実施形態と同じである。したがって、第１実施形態の電気掃除機１と同じく、電動機部３２のファン４８に近い方に位置された第２の軸受ハウジング部３５を掃除機本体２に支持するとともに、ファンカバー５１の外周が掃除機本体２に支持されないようにしたことにより、電動機部３２のファン４８から遠い方に位置された第１の軸受ハウジング部３４を支点とする電動送風機３１の回転振動を抑制でき、それに伴い低騒音で運転できる。
【００６３】
図５及び図６は本発明の第３の実施の形態を示している。この第３実施形態は以下説明する事項以外は、図示されていない構成を含めて第１実施形態と同じである。そのため、第１実施形態と同じ構成については、第１実施形態と同じ符号を付して、その説明を省略する。
【００６４】
第３実施形態では、第２の支持手段２１が、上下のベース部２２,２３と、３本以上の弾性体例えばコイルばね６３と、嵌合筒６４とを有している。嵌合筒６４は、電動送風機３１の第２の軸受ハウジング部３５の外周に嵌合して設けられている。各コイルばね６３は、引張りコイルばねであり、その一端は嵌合筒６４に固定され、他端はベース部２２,２３が有した円弧状の溝に固定されている。これらコイルばね６３によって、図６に示すように組み合わされたベース部２２,２３間の円形の孔の中央部に嵌合筒６４が保持されている。そして、嵌合筒６４の周方向に隣接するコイルばね６３間の空間は、通気部２８として利用されるようになっている。
【００６５】
又、第３実施形態では、カバー取付け部２７が一対の半円状部位２７ａ,２７ｂにより形成されている。つまり、半円状部位２７ａは、上側のベース部２２に一体に形成されてファン室２ｆ内に突出されており、同様に半円状部位２７ｂは、下側のベース部２３に一体に形成されてファン室２ｆ内に突出されている。これら半円状部位２７ａ,２７ｂは、上部本体ケース３と下部本体ケース４を組立てるに伴って、上下から合わせられて円形のカバー取付け部２７を形成する。このカバー取付け部２７の外周にファンカバー５１が被嵌されている。
【００６６】
なお、第３実施形態での組立ての手順は以下の通りである。まず、上部本体ケース３と下部本体ケース４を組立てることで、電動機部３２の第１の軸受ハウジング部３４を第１の支持手段１１に防振ゴム５２を介して挟持する。これにより、電動機部３２が上下の本体ケース３,４と上下のベース部２２，２３間に挟まれる。この状態でかつ仕切り５の装着前に、予めコイルばね６３の一端が固定された嵌合筒６４を、電動機部３２の第２の軸受ハウジング部３５に嵌合した後に、各コイルばね６３を伸張させながらそれらの他端を夫々上下のベース部２２，２３に引掛けて、第２の支持手段２１を組立てるとともに第２の軸受ハウジング部３５を防振的に支持する。この後、回転子軸４０にナット４７を用いてファン４８を固定してから、このファン４８を覆うファンカバー５１をカバー取付け部２７に被嵌する。
【００６７】
以上説明した事項以外は第１実施形態と同じである。したがって、第１実施形態の電気掃除機１と同じく、電動機部３２のファン４８に近い方に位置された第２の軸受ハウジング部３５を掃除機本体２に支持するとともに、ファンカバー５１の外周が掃除機本体２に支持されないようにしたことにより、電動機部３２のファン４８から遠い方に位置された第１の軸受ハウジング部３４を支点とする電動送風機３１の回転振動を抑制でき、それに伴い低騒音で運転できる。しかも、弾性体としてゴムに代えてコイルばね６３を用いたので、回転振動の減衰効果が高い点で好ましい。なお、この第３実施形態において、嵌合筒６４を偏心ウェイトで形成することは、各コイルばね６３の共振を防止する上で好ましく、又、各コイルばね６３の近傍にダンパを配設することにより、各コイルばね６３の共振を更に防止することができる。
【００６８】
図７及び図８は本発明の第４の実施の形態を示している。この第４実施形態は以下説明する事項以外は、図示されていない構成を含めて第１実施形態と同じである。そのため、第１実施形態と同じ構成については、第１実施形態と同じ符号を付して、その説明を省略する。
【００６９】
第４実施形態では、第２の支持手段２１が、上下のベース部２２,２３と、弾性体としてゴム製の弾性リング６５とを有している。図８に示すように上側ベース部２２は、複数のアーム６６で支持された挟持縁部６７を有している。第２の軸受ハウジング部３５の振れ回りを減衰するための弾性リング６５は、第２の軸受ハウジング部３５の外周に被着するとよい。上側ベース部２２と各アーム６６と挟持縁部６７は一体に形成されており、挟持縁部６７は半円状をなしている。同様に、下側ベース部２３は、複数のアーム６８で支持された挟持縁部６９を有している。上側ベース部２２と各アーム６８と挟持縁部６９は一体に形成されており、挟持縁部６９は半円状をなしている。隣接したアーム６６間の間隙、及び隣接したアーム６８間の間隙は、夫々通気部２８として利用される。挟持縁部６７,６９は、上下に合わさって第２の軸受ハウジング部３５を上下に挟持する円筒形の嵌合部２６を形成する。
【００７０】
又、第４実施形態では、カバー取付け部２７が一対の半円状部位２７ａ,２７ｂにより形成されている。つまり、半円状部位２７ａは、上側のベース部２２に一体に形成されてファン室２ｆ内に突出されており、同様に半円状部位２７ｂは、下側のベース部２３に一体に形成されてファン室２ｆ内に突設されている。これら半円状部位２７ａ,２７ｂは、上部本体ケース３と下部本体ケース４を組立てるに伴って、上下から合わせられて円形のカバー取付け部２７を形成する。このカバー取付け部２７の外周にファンカバー５１が被嵌されている。
【００７１】
なお、第４実施形態での組立ての手順は以下の通りである。まず、第１の軸受ハウジング部３４に防振ゴム５２が被嵌されるとともに、第２の軸受ハウジング部３５に弾性リング６５が被嵌された電動機部３２を、上部本体ケース３と下部本体ケース４との間に組み込んで、これら上部本体ケース３と下部本体ケース４をねじ止めして組立てる。これにより、電動機部３２の第１の軸受ハウジング部３４が防振ゴム５２を介して第１の支持手段１１で支持されるとともに、電動機部３２の第２の軸受ハウジング部３５が弾性リング６５を介して第２の支持手段２１で支持される。後者においては、嵌合筒をなして組み合わされた上下の挟持縁部６７，６９の内面が弾性リング６５の外周に密接して、この弾性リング６５を介して挟持縁部６７，６９が、第２の軸受ハウジング部３５を上下から挟持する。次に、この状態でかつ仕切り５の装着前に、ファン４８を回転子軸４０にナット４７を用いて固定してから、このファン４８を覆うファンカバー５１をカバー取付け部２７に被嵌する。
【００７２】
以上説明した事項以外は第１実施形態と同じである。したがって、第１実施形態の電気掃除機１と同じく、電動機部３２のファン４８に近い方に位置された第２の軸受ハウジング部３５を掃除機本体２に支持するとともに、ファンカバー５１の外周が掃除機本体２に支持されないようにしたことにより、電動機部３２のファン４８から遠い方に位置された第１の軸受ハウジング部３４を支点とする電動送風機３１の回転振動を抑制でき、それに伴い低騒音で運転できる。
【符号の説明】
【００７３】
１…電気掃除機、２…掃除機本体、２ａ…集塵体配置室、２ｂ…電動送風機室、６…集塵体、１１…第１の支持手段、１２…上部支持壁、１３…下部支持壁、１２ａ、１３ａ…挟持縁部、２１…第２の支持手段、２２，２３…ベース部、２４…防振リング（弾性体）、２５…支持部材、２５ａ…支持部材の部位、２６…嵌合部、２７…カバー取付け部、２８…通気部、３１…電動送風機、３２…電動機部、３３…電動機ケース、３３ｂ…壁部、３４…第１の軸受ハウジング部、３５…第２の軸受ハウジング部、３７，３８…軸受、３９…回転子、４０…回転子軸、４３…気流入口、４８…ファン、５１…ファンカバー、５２…防振ゴム、５４…封止リング(ガイド)、Ｇ…空隙、６１…ガイド、６３…コイルばね(弾性体)、６４…嵌合筒、６５…弾性リング（弾性体）、６７，６９…挟持縁部
【図１】
2010213789.tif 000003
【図２】
2010213789.tif 000004
【図３】
2010213789.tif 000005
【図４】
2010213789.tif 000006
【図５】
2010213789.tif 000007
【図６】
2010213789.tif 000008
【図７】
2010213789.tif 000009
【図８】
2010213789.tif 000010